(57)【要約】【課題】直管ＬＥＤランプの全長が相対的に長い場合における装着の作業性低下を抑えることができる照明器具を提供する。【解決手段】天井に配設される器具本体１と、円筒形状からなる管部８６の両端に口金８２，８３を有する直管ＬＥＤランプ８と、口金８２，８３それぞれが着脱自在に装着されるランプソケット２，３と、弧状に形成されて管部８６を弾性挟持する一対の保持片５２を有するランプ支持ばね５とを備え、ランプソケット２は、口金８２から突出されるＬ形ピン８２０が挿抜可能な挿抜位置と、Ｌ形ピン８２０が挿抜不可能であり且つ電極２１に接触する取付位置との間で、直管ＬＥＤランプ８を周方向に回動自在に保持するように構成され、直管ＬＥＤランプ８は、管部８６に凹部８１０が形成され、ランプ支持ばね５は、直管ＬＥＤランプ８が取付位置にあるとき、凹部８１０に嵌合する凸部５５を有する。【選択図】図１
2014216215.tif 000002
【特許請求の範囲】
【請求項１】
天井に配設される器具本体と、
円筒形状からなる管部の両端に口金を有する直管ＬＥＤランプと、
前記器具本体に取り付けられ、前記直管ＬＥＤランプの前記口金それぞれが着脱自在に装着される一対のランプソケットと、
前記器具本体に取り付けられ、弧状に形成されて前記直管ＬＥＤランプの前記管部を弾性挟持する一対の保持片を有するランプ支持ばねとを備え、
少なくとも一方の前記ランプソケットは、前記直管ＬＥＤランプに点灯電力を供給する電極を有し、
前記ランプソケットは、前記口金から突出されるピンが挿抜可能な挿抜位置と、前記ピンが挿抜不可能であり且つ給電用の前記ピンが前記電極に接触する取付位置との間で、前記直管ＬＥＤランプを周方向に回動自在に保持するように構成され、
前記直管ＬＥＤランプは、前記管部に凹部が形成され、
前記ランプ支持ばねは、前記直管ＬＥＤランプが前記取付位置にあるとき、前記凹部に嵌合する凸部を有する
ことを特徴とする照明器具。
【請求項２】
前記凹部は、前記管部の周方向に複数形成される
ことを特徴とする請求項１記載の照明器具。
【請求項３】
前記直管ＬＥＤランプの前記管部は、ＬＥＤ素子が実装された基板が取り付けられる半円柱形状の金属からなる放熱部材と、前記基板を覆う円弧状のカバーとで構成され、
前記凹部は、前記放熱部材に形成される
ことを特徴とする請求項１または２記載の照明器具。
【請求項４】
前記ランプ支持ばねは、導電性を有し、前記器具本体のアースに接地される
ことを特徴とする請求項３に記載の照明器具。
【発明の詳細な説明】
【技術分野】
【０００１】
本発明は、直管ＬＥＤランプ用の照明器具に関するものである。
【背景技術】
【０００２】
近年、直管形蛍光ランプ及び直管形蛍光ランプ用の照明器具に代えて、直管ＬＥＤランプ及び直管ＬＥＤランプ用の照明器具が普及しつつある（例えば、特許文献１参照）。特許文献１記載の照明器具は、天井に埋込配設される矩形箱状の器具本体と、器具本体の内底面に取り付けられる反射板と、一対のランプソケットと、ランプ支持ばねとを備える。
【０００３】
ランプソケットは、反射板の長手方向の両端にそれぞれ設けられている。直管ＬＥＤランプは、両端の口金から突出するピンを、ランプソケットの下面に設けられた溝に挿入した後、軸の周方向に約９０度回転させる。これにより、直管ＬＥＤランプは、挿抜位置から取付位置に移動し、ピンがランプソケット内の電極に電気的且つ機械的に接続され、ランプソケットに装着される。また、ランプソケットの電極は、弾性を有する板材が曲げ加工されてなる。そして、直管ＬＥＤランプを取り付ける際、ピンが電極を圧接して撓ませながら摺動し、電極に形成された凹部にピンが嵌り込むことで、直管ＬＥＤランプが取付位置に位置決めされる。このとき、ピンが電極の凹部に嵌り込むことによって得られるクリック感によって、作業者は直管ＬＥＤランプが取付位置にあると判断する。
【０００４】
ランプ支持ばねは、金属製の板材が略Ω形状に曲げ加工されてなり、直管ＬＥＤランプの管部を嵌め込んで支持している。
【先行技術文献】
【特許文献】
【０００５】
【特許文献１】特開２０１３−２６０３２号公報
【発明の概要】
【発明が解決しようとする課題】
【０００６】
ところで、直管ＬＥＤランプをランプソケットに装着する際、全長が長くなるほど、作業者は直管ＬＥＤランプの中央付近を持って作業する場合が多くなる。この場合、直管ＬＥＤランプの口金と作業者との距離が遠くなる。そのため、直管ＬＥＤランプの装着時において、ピンが電極の凹部に嵌り込むことによって作業者が得られるクリック感が弱くなり、どこまで回転させれば良いか判り難い。その結果、直管ＬＥＤランプを装着する作業性が低下するという問題がある。
【０００７】
本発明は、上記事由に鑑みてなされたものであり、その目的は、直管ＬＥＤランプの全長が相対的に長い場合における装着の作業性低下を抑えることができる照明器具を提供することにある。
【課題を解決するための手段】
【０００８】
本発明の照明器具は、天井に配設される器具本体と、円筒形状からなる管部の両端に口金を有する直管ＬＥＤランプと、前記器具本体に取り付けられ、前記直管ＬＥＤランプの前記口金それぞれが着脱自在に装着される一対のランプソケットと、前記器具本体に取り付けられ、弧状に形成されて前記直管ＬＥＤランプの前記管部を弾性挟持する一対の保持片を有するランプ支持ばねとを備え、少なくとも一方の前記ランプソケットは、前記直管ＬＥＤランプに点灯電力を供給する電極を有し、前記ランプソケットは、前記口金から突出されるピンが挿抜可能な挿抜位置と、前記ピンが挿抜不可能であり且つ給電用の前記ピンが前記電極に接触する取付位置との間で、前記直管ＬＥＤランプを周方向に回動自在に保持するように構成され、前記直管ＬＥＤランプは、前記管部に凹部が形成され、前記ランプ支持ばねは、前記直管ＬＥＤランプが前記取付位置にあるとき、前記凹部に嵌合する凸部を有することを特徴とする。
【０００９】
この照明器具において、前記凹部は、前記管部の周方向に複数形成されることが好ましい。
【００１０】
この照明器具において、前記直管ＬＥＤランプの前記管部は、ＬＥＤ素子が実装された基板が取り付けられる半円柱形状の金属からなる放熱部材と、前記基板を覆う円弧状のカバーとで構成され、前記凹部は、前記放熱部材に形成されることが好ましい。
【００１１】
この照明器具において、前記ランプ支持ばねは、導電性を有し、前記器具本体のアースに接地されることが好ましい。
【発明の効果】
【００１２】
以上説明したように、本発明では、直管ＬＥＤランプの管部に凹部を形成し、直管ＬＥＤランプが取付位置にあるとき、凹部に勘合する凸部をランプ支持ばねに形成することで、直管ＬＥＤランプの全長が相対的に長い場合における装着の作業性低下を抑えることができるという効果がある。
【図面の簡単な説明】
【００１３】
【図１】本発明の実施形態１の照明器具の一部断面図である。
【図２】同上の照明器具の一部外観図である。
【図３】同上の照明器具の分解斜視図である。
【図４】同上の照明器具の外観斜視図である。
【図５】同上のランプ支持ばねの外観斜視図である。
【図６】同上の別構成の照明器具の一部断面図である。
【図７】同上の別構成の照明器具の外観斜視図である。
【図８】同上の別構成の照明器具の外観斜視図である。
【図９】実施形態２の照明器具の一部断面図である。
【図１０】同上のランプソケットの一部分解図である。
【図１１】同上の別構成の照明器具の一部断面図である。
【発明を実施するための形態】
【００１４】
以下、本発明の実施の形態を図面に基づいて説明する。
【００１５】
（実施形態１）
以下、本発明に係る照明器具の実施形態について図面を参照して詳細に説明する。本実施形態は、日本電球工業会規格ＪＥＬ８０１「Ｌ形ピン口金ＧＸ１６ｔ−５付直管形ＬＥＤランプシステム（一般照明用）」に準拠した直管ＬＥＤランプ（以下、ランプと略す。）８を光源とする。ただし、前記規格に準拠しない直管ＬＥＤランプを光源とする照明器具にも本発明の技術思想は適用可能である。
【００１６】
ランプ８は、図１，図２に示すように円筒状の管部８６と、管部８６の両端に設けられる一対の口金８２，８３とを有する。管部８６は、透光性を有する合成樹脂（例えば、ポリカーボネート）からなる半円筒形状のカバー８０と、熱伝導度が相対的に高く且つ軽量な金属（例えば、アルミ）からなる半円柱形状の放熱部材８１とで構成される。放熱部材８１は、カバー８０と対向する内面に形成された凹部の底面に、多数のＬＥＤ素子８４を直線上に並べて実装した長尺の基板８５が取り付けられており、多数のＬＥＤ素子８４が発する熱を管部８６の外に放熱している。
【００１７】
本実施形態の照明器具は、図３及び図４に示すように器具本体１と、二組のランプソケット２，３と、反射板４と、ランプ支持ばね５とを備える。器具本体１は、金属板を折り曲げ加工することにより、下面側が開放された箱状に形成され、天井に設けられた取付ボルト１００が挿通される一対の挿通孔（図示せず）が穿孔されている。すなわち、器具本体１を天井に取り付ける際には、挿通孔に挿通された取付ボルト１００に座金１０１を介装してナット１０２を締め付ければよい。
【００１８】
また、器具本体１は、長手方向の略中央に、商用電源よりなる交流電源に接続され天井裏に先行配線されている電源線１０３を引き込むための電源線挿通孔１０が穿孔されている。さらに、器具本体１の下面には、長手方向において電源線挿通孔１０を挟むように端子台７及び電源装置６が取り付けられている。ここに、電源線挿通孔１０を通して引き込まれた電源線１０３が端子台７に接続される。なお、電源装置６は、商用電源から供給される交流電力を直流電力に変換する電力変換回路（ＡＣ／ＤＣコンバータ）等が実装されたプリント配線板（図示せず）を金属製のケースに収納して構成されている。ただし、このような電源装置６は従来周知であるから、詳細な構成及び動作の図示並びに説明を省略する。
【００１９】
対を為す２種類のランプソケット２，３は、一方のランプソケット２が給電用であり、他方のランプソケット３が接地用である。すなわち、給電用のランプソケット２は、片側の口金８２に設けられた一対のＬ形ピン８２０が接続され、これら一対のＬ形ピン８２０間に直流電圧を印加するように構成されている。また、接地用のランプソケット３は、もう片側の口金８３に設けられた接地ピン８３０が接続され、当該接地ピン８３０を機械的に保持するとともに、グランドに接地されている器具本体１と電気的に接続する。ただし、ランプソケット３に接続される接地ピン８３０は、器具本体１と電気的に接続されず、機械的な保持のみに用いられる場合もある。
【００２０】
ランプ８を装着する際、接地ピン８３０をランプソケット３に接続した後、ランプソケット２の溝（図示せず）にＬ形ピン８２０を下方から挿入する。その後、ランプ８を略９０度回転させて挿抜位置から取付位置に移動させれば、Ｌ形ピン８２０がランプソケット２の電極と電気的且つ機械的に接続される。一方、ランプ８を外す際は、装着時の反対向きにランプ８を回転させて取付位置から挿抜位置に移動させた後、ランプソケット２の溝からＬ形ピン８２０を抜けばよい。このようなランプソケット２，３は、日本電球工業会規格ＪＥＬ８０１「Ｌ形ピン口金ＧＸ１６ｔ−５付直管形ＬＥＤランプシステム（一般照明用）」に準拠したランプソケットとして従来周知である。
【００２１】
反射板４は、金属板を折り曲げ加工することで断面略Ｖ字形に形成され、下面開口を覆うように器具本体１に取り付けられる。なお、反射板４は、器具本体１の長手方向の両端及び中央に設けられた３つの固定具１１に、それぞれつまみねじ１２をねじ止めすることで器具本体１に取り付けられる。また、反射板４は、長手方向の両端部において、それぞれランプソケット２，３が挿通されるソケット挿通孔４０が設けられている。さらに、反射板４の長手方向における中央付近には、ランプ支持ばね５を取り付けるための取付孔４１が設けられている。
【００２２】
ランプ支持ばね（以下、支持ばねと略す。）５は、図５に示すように取付片５０、一対の腕片５１、一対の保持片５２、一対の案内片５３が、ばね性を有する金属板を打ち抜き加工及び曲げ加工することで略Ω形に一体に形成されてなる。なお、以下の説明では、特に断りのない限り、図５において上下左右前後の各方向を規定する。
【００２３】
取付片５０は、全体が矩形平板状であって、前後方向中央の左右両端部分に第１係合片５００及び第２係合片５０１が切り起こして形成されている。第１係合片５００は、先端部分が外向き（右向き）に略直角に曲げられている。一方、第２係合片５０１は、先端部分が内向き（右斜め下向き）に鋭角に曲げられている。つまり、一方の取付孔４１に第１係合片５００を挿入係止した後、他方の取付孔４１に第２係合片５０１を挿入係止することによって、取付片５０（支持ばね５）が反射板４に取り付けられる。
【００２４】
各腕片５１は、矩形平板状であり、取付片５０の左右両端より下向きに曲げ起こされている。ただし、各腕片５１は、下端に向かうほど互いの間隔を狭くするように僅かに傾斜している。
【００２５】
各保持片５２は、取付片５０の下端より下方に垂下し、且つ外向きに凸となる円弧状に形成されている。また、各保持片５２は、管部８６に対向する面にランプ８の周方向（上下方向）に沿った突条５４が形成されている。つまり、一対の保持片５２の間にランプ８の管部８６が弾性的に挟持されるとき、突条５４の先端部分のみがランプ８の管部８６と接触することになる（図１参照）。
【００２６】
各案内片５３は、保持片５２の下端から外向き且つ下向きに突出している。なお、突条５４は保持片５２だけでなく案内片５３にも形成されている。
【００２７】
さらに、保持片５２に形成された突条５４の上下方向の中央部には、前後方向に連続した凸部５５が形成されている。一方、ランプ８の放熱部材８１は、外周面における短手方向（左右方向）の端部近傍に凹部８１１が１８０°間隔で形成されている（図１参照）。
【００２８】
したがって、ランプ８を装着する際、接地ピン８３０をランプソケット３に接続した後、ランプソケット２の溝（図示せず）にＬ形ピン８２０を下方から挿入する。その後、ランプ８を略９０度回転させて挿抜位置から取付位置に移動させれば、Ｌ形ピン８２０がランプソケット２の電極と電気的且つ機械的に接続される。このとき、ランプ８が取付位置に移動し、支持ばね５の凸部５５とランプ８の凹部８１１とが嵌合することによって得られるクリック感によって、作業者はランプ８が取付位置にあると判断することができる。したがって、ランプ８の全長が相対的に長い場合においても装着の作業性低下を抑制することができる。
【００２９】
なお、凹部８１１の形状は、ランプ８の軸方向に沿った長尺の溝状に形成されていてもよい。凹部８１１を溝状に形成することによって、放熱部材８１の表面積が増加し、放熱性を向上させることができる。さらに、凹部８１１を溝状に形成することによって、ランプ８に対する支持ばね５の前後方向の位置の制限がなくなる。
【００３０】
また、凸部５５及び凹部８１１の位置は、ランプ８が取付位置にあるとき、凸部５５と凹部８１１とが嵌合する位置に形成されていればよく、上記位置に限定するものではない。例えば、図６に示すように、放熱部材８１の外周面における短手方向（左右方向）の中央部に凹部８１１を形成し、一方の保持片５２に形成された突条５４をランプ８の周方向に沿って延設した延設部５６に凸部５５を形成してもよい。
【００３１】
また、本実施形態の支持ばね５は、器具本体１のアースに接地されている。したがって、導電性を有する支持ばね５を介して、ランプ８の放熱部材８１が器具本体１のアースに接地されるので、安全性を向上させることができる。
【００３２】
なお、本実施形態では、器具本体１に２本のランプ８を装着する２灯式の照明器具を例示したが、図７に示すように１本のランプ８のみを装着する１灯式の照明器具であっても構わない。あるいは、図８に示すような構造の照明器具であっても構わない。図８に示す照明器具は、例えば、博物館又は美術館の展示室の壁に掛けられた展示物（例えば、絵画）を照明したり、講義室や教室の壁に設置された黒板を照明するものである。
【００３３】
（実施形態２）
本実施形態の照明器具は、図９に示すように、ランプ８の放熱部材８１に、複数の凹部８１１が周方向に沿って形成されている。他の構成は、実施形態１と同様の構成であるので、説明を省略する。
【００３４】
ランプ８の取付位置とは、給電用のランプソケット２が有する電極２１と一対のＬ形ピン８２０それぞれとが接触する位置であればよい。図１０に、ランプソケット２の分解図を示す。
【００３５】
ランプソケット２は、一対のＬ形ピン８２０それぞれが接触接続される一対の電極２１を備えている。電極２１は、弾性を有する金属材料からなる板材が曲げ加工されてなり、Ｌ形ピン８２０に接圧するピン接続部２２を有する。ピン接続部２２は、外向きに凸となるＶ字状に形成されており、凹面側がＬ形ピン８２０に対する接触面として利用される。ランプ８の装着時において、ランプ８が挿抜位置から取付位置に移動する際、Ｌ形ピン８２０がピン接続部２２を圧接して外方向に撓ませながらピン接続部２２の凹面側を摺動する。そして、ランプ８を挿抜位置から略９０度回転させることで、ピン接続部２２の凹面側の谷部２３にＬ形ピン８２０が嵌り込むことで、Ｌ形ピン８２０が位置決めされる。
【００３６】
したがって、一対のＬ形ピン８２０が上下方向に対向する位置Ｐ１（挿抜位置Ｐ１）を基準として、ランプ８を角度θ１回転させた位置Ｐ２にＬ形ピン８２０があることによって、Ｌ形ピン８２０がピン接続部２２に接触してランプ８に点灯電力を供給することができる。そして、ランプ８を角度θ１より大きい角度θ２回転させた位置Ｐ３にＬ形ピン８２０があると、Ｌ形ピン８２０とピン接続部２２との接触圧が安定する。
【００３７】
そこで、本実施形態では、ランプ８の放熱部材８１に、ランプ８を挿抜位置Ｐ１から角度θ２回転させたとき、凸部５５が嵌合する位置に凹部８１１ａを形成している。さらに、本実施形態では、ランプ８が位置Ｐ３にあるときに凸部５５が嵌合する凹部８１１ａと、ランプ８が挿抜位置Ｐ１から９０°回転させた位置Ｐ４にあるとき凸部５５に嵌合する凹部８１１との間に、等間隔で凹部８１１ｂ，８１１ｃを形成している。凹部８１１ａ〜８１１ｃは、ランプ８をいずれの方向に回転させた場合であっても、一対の凸部５５のいずれか一方が嵌合するように、左右対称となる位置に形成されている。なお、凹部８１１ａ〜８１１ｃを区別しない場合、凹部８１１と称す。
【００３８】
したがって、ランプ８を装着する際、一対の凸部５５のうちいずれか一方が複数ある凹部８１１のいずれかに嵌り込むことによって得られるクリック感によって、作業者はランプ８のＬ形ピン８２０とランプソケット２の電極２１とが接触している取付位置であると判断することができる。さらに、凸部５５と凹部８１１とが嵌合している位置であればランプ８を点灯させることができるので、ランプ８を回転させて、ＬＥＤ素子８４の照射方向を調節することができる。このとき、凸部５５と凹部８１１とが嵌合しているので、ＬＥＤ素子８４の照射方向を固定することができる。
【００３９】
また、本実施形態では、放熱部材８１に複数の凹部８１１が形成されているので、放熱部材８１の表面積がさらに増加し、放熱性をより向上させることができる。なお、本実施形態においても、放熱部材８１の表面積を増加させて放熱性を向上させるために、凹部８１１の形状を、ランプ８の軸方向に沿った長尺の溝状に形成してもよい。また、凹部８１１を溝状に形成することによって、ランプ８に対する支持ばね５の前後方向の位置の制限がなくなる。
【００４０】
また、図１１に示すように、凹部８１１ａ〜８１１ｃが形成された放熱部材８１と同様にカバー８０にも凹部８０１ａ〜８０１ｃを形成してもよい。凹部８０１ａ〜８０１ｃは、ランプ８をいずれの方向に回転させた場合であっても、一対の凸部５５のいずれか一方が嵌合するように、左右対称となる位置に形成されている。さらに、凹部８０１ａは凹部８１１ａと１８０°離間し、凹部８０１ｂは凹部８１１ｂと１８０°離間し、凹部８０１ｃは凹部８１１ｃと１８０°離間している。これにより、ランプ８をいずれかの方向に回転させて、ＬＥＤ素子８４の照射方向を直下以外に調節した場合であっても、一対の凸部５５の一方が凹部８１１ａ〜８１１ｃのいずれかに嵌合し、他方の凸部５５が凹部８０１ａ〜８０１ｃのいずれかに嵌合するので、ＬＥＤ素子８４の照射方向をより確実に固定することができる。
【符号の説明】
【００４１】
１  器具本体
２，３  ランプソケット
５  ランプ支持ばね
５２  保持片
５５  凸部
８  直管ＬＥＤランプ
８０  カバー
８１  放熱部材
８１１  凹部
８２，８３  口金
８２０  Ｌ形ピン
８４  ＬＥＤ素子
８５  基板
８６  管部
【図１】
2014216215.tif 000003
【図２】
2014216215.tif 000004
【図３】
2014216215.tif 000005
【図４】
2014216215.tif 000006
【図５】
2014216215.tif 000007
【図６】
2014216215.tif 000008
【図７】
2014216215.tif 000009
【図８】
2014216215.tif 000010
【図９】
2014216215.tif 000011
【図１０】
2014216215.tif 000012
【図１１】
2014216215.tif 000013